(57)【要約】  【課題】  センサーが検知した異常検知信号を無線にて受信し、予め設定した電話番号先に通報する警備装置においては、異常事態が発生したことが通報されるのみであり、異常事態の内容や緊急度が通報されることは想定されていない。  【解決手段】  本発明は、異常を検知した場合に、検知結果に応じてリモコン信号を送信するセンサー装置と、このリモコン信号を受信し、これに基づいてレポートを、インターネット網を介して所定の送付先への送信や、ディスプレイ装置などへの出力を実行可能なセットトップボックス装置と、からなるエマージェンシーレポートシステムを提案するものである。【選択図】            図２
2007034420.tif 000002
【特許請求の範囲】
【請求項１】
センサー装置と、セットトップボックス装置と、からなるエマージェンシーレポートシステムであって、
センサー装置は、
セキュリティー検知部と、
セキュリティー検知部での検知結果に応じてレポート信号を取得するレポート信号取得部と、
前記レポート信号取得部にて取得したレポート信号を、前記セットトップボックス装置が受信可能なリモコン信号として出力するリモコン信号送信部と、
を有し、
前記セットトップボックス装置は、
コンテンツ出力制御信号を含むリモコン信号を受信するリモコン信号受信部と、
コンテンツ出力のための情報の全部又は一部を取得するとともに、前記リモコン信号受信部にてレポート信号としてのリモコン信号を受信した場合には、そのレポート信号に基づいて第一レポートを所定の送付先に送信可能なインターネット通信部と、
コンテンツをディスプレイ装置などに出力するとともに、前記リモコン信号受信部にてレポート信号としてのリモコン信号を受信した場合には、受信したレポート信号に基づいて第二レポートをディスプレイ装置などに出力可能なコンテンツ出力部と、
を有するエマージェンシーレポートシステム。
【請求項２】
請求項１に記載のセンサー装置。
【請求項３】
請求項１に記載のセットトップボックス装置。
【請求項４】
センサー装置と、セットトップボックス装置と、からなるエマージェンシーレポートシステムにおけるレポート送信方法であって、
センサー装置は、
異常を検知するセキュリティー検知ステップと、
セキュリティー検知ステップでの検知結果に応じてレポート信号を取得するレポート信号取得ステップと、
前記レポート信号取得ステップにて取得したレポート信号を、前記セットトップボックス装置が受信可能なリモコン信号として出力するリモコン信号送信ステップと、
を有し、
前記セットトップボックス装置は、
コンテンツ出力制御信号を含むリモコン信号を受信するリモコン信号受信ステップと、
コンテンツ出力のための情報の全部又は一部を取得するとともに、前記リモコン信号受信ステップにてレポート信号としてのリモコン信号を受信した場合には、そのレポート信号に基づいて第一レポートを所定の送付先に送信可能なインターネット通信ステップと、
コンテンツをディスプレイ装置などに出力するとともに、前記リモコン信号受信ステップにてレポート信号としてのリモコン信号を受信した場合には、受信したレポート信号に基づいて第二レポートをディスプレイ装置などに出力可能なコンテンツ出力ステップと、
を有するエマージェンシーレポート送信方法。
【発明の詳細な説明】
【技術分野】
【０００１】
本発明は、赤外線を用いたエマージェンシーレポートシステムに関するものである。
【背景技術】
【０００２】
センサーが異常を検知した場合、この異常検知信号を無線にて受信し、予め設定した電話番号先に通報する警備装置はすでに提案されている。（例えば、特許文献１参照）。
【特許文献１】特開２００５−１０８０５７号公報
【発明の開示】
【発明が解決しようとする課題】
【０００３】
しかしながら、上記手法においては、異常事態が発生したことが通報されるのみであり、異常事態の内容や緊急度が通報されることは想定されていない。したがって、被害状況や緊急度がそれほど高くない場合であっても、通報を受けた警備センタや、利用者自身は逐一対応することが必要となり、不便な場合がある。
【課題を解決するための手段】
【０００４】
本発明は、かかる実情に鑑み、異常を検知した場合に、検知結果に応じてリモコン信号を送信するセンサー装置と、このリモコン信号を受信し、これに基づいてレポートを、インターネット網を介して所定の送付先への送信や、ディスプレイ装置などへの出力を実行可能なセットトップボックス装置と、からなるエマージェンシーレポートシステムを提案するものである。
【発明の効果】
【０００５】
以上、説明したように本件発明のいずれか一又は二以上の発明に係るエマージェンシーレポートシステムは、インターネット網を介して利用者の携帯電話などに通報されることで、利用者は即座に異常事態の発生を認識して対応できる。このとき、セットトップボックス装置にて保持するコンテンツを利用し、異常事態の内容や緊急度についても通報することが可能であり、利便性が高い。さらに、センサー装置、セットトップボックス装置間において赤外線通信を行うため、外来電波の影響を受けにくく、安全性に優れたシステムである。
【発明を実施するための最良の形態】
【０００６】
以下に、各発明を実施するための最良の形態を説明する。なお、本発明はこれら実施の形態に何ら限定されるものではなく、その要旨を逸脱しない範囲において、種々なる態様で実施しうる。
【０００７】
<<実施形態>>
【０００８】
<概要>  本実施形態は、センサー装置と、セットトップボックス装置と、からなるエマージェンシーレポートシステムである。センサー装置は、異常を検知した場合に、検知結果に応じてリモコン信号を送信し、セットトップボックス装置は、このリモコン信号を受信し、これに基づいてレポートを、インターネット網を介して所定の送付先への送信や、ディスプレイ装置などへの出力を実行する。
【０００９】
図１は、本実施形態の概念の一例を示すものである。本実施形態のエマージェンシーレポートシステムを構成するセンサー装置と、セットトップボックス装置との相関関係を示した。今、不審者の侵入による異常信号をセンサー装置が検知したとする（１）。この検知結果に応じてセンサー装置はレポート信号を取得する。ここではレポート信号は、不審者の侵入を伝えるためのものであるが、検知結果に応じて、例えばガス漏れの検知や、来訪者の検知などを伝えるためのものの場合もある。次に、このレポート信号をセットトップボックス装置が受信可能なリモコン信号として出力する（２）。リモコン信号は、主として赤外線送信によることが想定される。
【００１０】
セットトップボックス装置では、リモコン信号を受信する。このリモコン信号には、セットトップボックス装置で利用可能なコンテンツの出力制御信号が含まれている。セットトップボックス装置では、受信したリモコン信号をレポート信号に変換し、これに基づいて第一レポートを作成する。第一レポートはインターネット網を介して、所定の送信先に送信される（３）。例えば、利用者の携帯端末装置などに対して、不審者の侵入を伝えるために、その緊急度や被害状況を含む第一レポートが送信されることが想定される。
【００１１】
また、セットトップボックス装置では、受信したリモコン信号をレポート信号に変換し、これに基づいて第二レポートを作成し、これをディスプレイ装置などに出力する（４）。例えば、ＴＶの表示画面になどに対して、不審者の侵入を伝えるための第二レポートが出力されることが想定される。このとき、不審者に退出を求めるメッセージなどのコンテンツがディスプレイ装置などに出力されるとしてもよい。
【００１２】
<構成>  本実施形態での機能ブロックの一例を図２に示した。  図２に示す本実施形態の「エマージェンシーレポートシステム」（０２００）は、「センサー装置」（０２１０）と、「セットトップボックス装置」（０２２０）と、からなる。センサー装置（０２１０）は、「セキュリティー検知部」（０２１１）と、「レポート信号取得部」（０２１２）と、「リモコン信号送信部」（０２１３）と、を有する。セットトップボックス装置（０２２０）は、「リモコン信号受信部」（０２２１）と、「インターネット通信部」（０２２２）と、「コンテンツ出力部」（０２２３）と、を有する。
【００１３】
「センサー装置」（０２１０）は、各種センサーを備え、後述するセットトップボックス装置と赤外線通信が可能な装置一般が広く該当する。センサーとしては、赤外線センサー（焦電センサー、光センサーなど）の他、温度センサー、ガラス破壊検知センサーなどが例示できる。
【００１４】
「セキュリティー検知部」（０２１１）は、異常信号を検知する。セキュリティー検知部はセンサーなどによって構成される。例えば、焦電センサーの場合には、物体から放出される赤外線エネルギーを検出することができ、人体の検出、火災の検出などが可能となる。センサーにより、値の測定ができる場合には、所定の閾値を予め設定しておき、その閾値以上の値が検出された場合を異常事態が発生したと判定できる。
【００１５】
「レポート信号取得部」（０２１２）は、セキュリティー検知部（０２１１）での検知結果に応じてレポート信号を取得する。セキュリティー検知部のセンサーによる検知結果に応じて、例えば、人体を検出した場合には不審者の侵入を検知したとのレポートを、高温を検知した場合には火災を検知したとのレポートを作成し、これを内容とするレポート信号を取得する。その他、レポート信号は不審者や、火災状況を撮影した画像や映像の場合もある。図３では、レポート信号は不審者の侵入を検知したとのレポート内容を示した。また、レポートの内容としては、検知した異常事態の内容に加え、緊急度、被害状況などが含まれているとしてもよい。レポート信号の取得としては、センサー装置が予め保持されているレポート信号から適切なものを選択する場合のほか、外部のサーバなどから受信する場合がある。
【００１６】
「リモコン信号送信部」（０２１３）は、前記レポート信号取得部（０２１２）にて取得したレポート信号を、セットトップボックス装置が受信可能なリモコン信号として出力する。レポート信号は赤外線送信するために、リモコン信号へと変換を行う。センサー装置、セットトップボックス装置間において赤外線通信を行うため、外来電波の影響を受けにくく、安全性に優れたシステムを構築できる。
【００１７】
「セットトップボックス装置」（０２２０）は、ディスプレイ装置などに接続して拡張的機能を提供するデバイス一般が広く該当する。セットトップボックス装置内部には、ＨＤＤなどが備えられており、コンテンツなどを蓄積している場合がある。コンテンツは、ディスプレイ装置に出力するための映像、画像等である。具体的には、異常事態発生時に侵入者への退去勧告や、火災警報などを文字や、音声にて出力するためのコンテンツが想定される。なお、コンテンツは、セットトップボックス装置内に予め蓄積されているものだけには限定されず、カメラなどで撮影して自身で生成する場合もある。
【００１８】
また、セットトップボックス装置は、ソフトウエアのアップデートにより、センサー装置からのリモコン信号を受信可能とする機能を有する場合もある。セットトップボックス装置をアップデートすることと、センサー装置を準備することで、低コストにて本発明であるエマージェンシーレポートシステムが実現できる。
【００１９】
「リモコン信号受信部」（０２２１）は、コンテンツ出力制御信号を含むリモコン信号を受信する。センサー装置から送信されるリモコン信号を受信する。リモコン信号は、コンテンツ出力制御信号を含む。コンテンツ出力制御信号とは、コンテンツの出力を制御するための信号である。コンテンツ出力制御信号は、具体的には、出力するコンテンツの別、出力するタイミング、出力方法（音声出力のみ等）などを制御する。なお、セットトップボックス装置は、付属のリモコンからの利用者の操作に応じたリモコン信号を受信し、このリモコン信号に含まれるコンテンツ出力制御信号に基づいて通常の動作を実行する。
【００２０】
「インターネット通信部」（０２２２）は、コンテンツ出力のための情報の全部又は一部を取得するとともに、前記リモコン信号受信部（０２２１）にてレポート信号としてのリモコン信号を受信した場合には、そのレポート信号に基づいて第一レポートを所定の送付先に送信可能とするための処理を行う。セットトップボックス装置が直接受信できるのは、リモコン信号であるが、図３で示すようにこれをレポート信号に変換し、そのレポート信号に基づいて第一レポートを生成する。第一レポートとは、送付先に応じて加工を施したレポート信号である。第一レポートは、音声のみ、あるいは、文字・画像のみにより構成されるとしてもよいし、音声とともに文字・画像により構成されるとしてもよい。第一レポートの送付先としては、利用者などの携帯端末や、警備会社などの端末装置などが該当する。第一レポートは、例えば、携帯端末にて表示可能に加工したレポートなどが該当し、所定の送付先へインターネット網を介して送信可能となる。なお、所定の送付先は、一のみに限定されず、複数でもよい。
【００２１】
図４は、所定の送付先として、利用者の携帯端末と、警備会社の端末装置に対して送信した第一レポートを示したものである。図には、一例として利用者の携帯端末と、警備会社の端末装置の表示画面に、警告のメッセージが表示される場面を示した。
【００２２】
また、インターネット通信部では、コンテンツ出力のための情報の全部又は一部を取得する。この情報は、セットトップボックス装置内に保持されているとしてもよいし、リモコン信号に含まれるコンテンツ出力信号から取得するとしてもよい。コンテンツ出力のための情報とは、コンテンツ自体が含まれるほか、コンテンツの録画信号などが含まれる場合もある。つまり、レポート信号にコンテンツの録画信号が含まれている場合には、付属のカメラにて不審者などを撮影することが可能となる。
【００２３】
「コンテンツ出力部」（０２２３）は、コンテンツをディスプレイ装置などに出力するとともに、前記リモコン信号受信部（０２２１）にてレポート信号としてのリモコン信号を受信した場合には、受信したレポート信号に基づいて第二レポートをディスプレイ装置などに出力可能とするための処理を行う。セットトップボックス装置が直接受信できるのは、リモコン信号であるが、図３で示すようにこれをレポート信号に変換し、そのレポート信号に基づいて第二レポートを生成する。第二レポートとは、出力先に応じて加工を施したレポートである。第二レポートの出力先としては、セットトップボックス装置に接続可能なディスプレイ装置や、スピーカー、ライト（サイレン）などが該当する。第二レポートは、例えば、ディスプレイ装置にて表示可能に加工したレポートなどが該当する。ディスプレイ装置には、異常事態発生時に侵入者への退去勧告や、火災警報などが出力される。なお、出力先は、一のみに限定されず、複数でもよい。
【００２４】
図５は、ディスプレイ装置に出力した第二レポートを示したものである。図には、第二レポートとともに、画像のコンテンツを出力する一例を示した。ディスプレイ装置以外に、ライト（サイレン）と、カメラに対して第二レポートを出力する場面も示した。このとき、カメラにて不審者などを撮影することが可能となる。
【００２５】
また、コンテンツ出力部では、コンテンツをディスプレイ装置などに出力する。このとき出力は、受信したリモコン信号に含まれるコンテンツ出力制御信号、又は／及び、取得したコンテンツ出力のための情報の全部又は一部を用いて、実行されることが想定される。例えば、コンテンツ出力制御信号は、出力するコンテンツの別、出力するタイミング、出力方法（音声出力のみ等）などを制御することができる。ディスプレイ装置などには、コンテンツ出力制御信号に応じたコンテンツが、所定のタイミング、所定の出力方法で出力される。
【００２６】
<ハードウエア構成>  本件発明におけるセットトップボックス装置のハードウエア構成の一例を図６に示した。本件発明の構成要素は、ハードウエア、ソフトウエア、ハードウエアとソフトウエアの両者、のいずれかによって構成される。例えば、これらを実現する一例として、ＣＰＵ、メモリ（ＤＲＡＭ、ＲＯＭ）、バス、Ｉ／Ｏなどから構成されるハードウエアと、これらのハードウエア上にて実行可能なソフトウエアを挙げることができる。具体的には、メモリ上に展開されたプログラムを順次実行することで、メモリ上のデータや、Ｉ／Ｏを介して入力されるデータの加工、蓄積、出力などにより構成要素である各部の機能が実現される。例えば、リモコン信号は、Ｉ／Ｏを介してセンサー装置から受信することが可能である。受信したリモコン信号は、レポート信号へと変換される変換プログラムの実行により、レポート信号へと変換される。レポート信号に合致する第一レポート、及び、第二レポートがＨＤＤに蓄積されていないか検索処理が実行される。合致するレポートが検出できた場合には、第一レポート、第二レポートは、Ｉ／Ｏを介して他の装置へ送信できる。合致するレポートが検出できない場合には、レポート生成プログラムを実行し、第一レポート、第二レポートを生成した後に、Ｉ／Ｏを介して他の装置へ送信する。
【００２７】
<処理の流れ>  図７は、本発明におけるエマージェンシーレポートシステムの処理の流れの一例を示したものである。本エマージェンシーレポートシステムにおけるレポート送信方法においては、まず、センサー装置が、異常を検知したかどうかを判断し（セキュリティー検知ステップ  Ｓ０７０１）、異常を検知した場合には検知結果に応じてレポート信号を取得する（レポート信号取得ステップ  Ｓ０７０２）。異常を検知しない限りはセキュリティー検知ステップ（Ｓ０７０１）を繰り返す。その次に、前記レポート信号取得ステップ（Ｓ０７０２）にて取得したレポート信号を、セットトップボックス装置が受信可能なリモコン信号として出力する（リモコン信号送信ステップ  Ｓ０７０３）。
【００２８】
他方、セットトップボックス装置では、コンテンツ出力制御信号を含むリモコン信号を受信する（リモコン信号受信ステップ  Ｓ０７０４）。次に、コンテンツ出力のための情報の全部又は一部を取得する（コンテンツ出力情報取得ステップ  Ｓ０７０５）。この情報は、セットトップボックス装置内に保持されているとしてもよいし、リモコン信号に含まれるコンテンツ出力信号から取得するとしてもよい。その次に、前記リモコン信号受信ステップ（Ｓ０７０４）にて受信したレポート信号としてのリモコン信号に基づいて第一レポートを所定の送付先に送信可能とする処理を行う（インターネット通信ステップ  Ｓ０７０６）。
【００２９】
さらに、コンテンツをディスプレイ装置などに出力する（コンテンツ出力ステップ  Ｓ０７０７）。このとき、リモコン信号受信ステップ（Ｓ０７０４）にて受信したリモコン信号に含まれるコンテンツ出力制御信号、又は／及び、コンテンツ出力情報取得ステップ（Ｓ０７０５）にて取得したコンテンツ出力のための情報の全部又は一部を用いて、コンテンツの出力が実行されることが想定される。最後に、前記リモコン信号受信ステップ（Ｓ０７０４）にて受信したレポート信号としてのリモコン信号に基づいて第二レポートをディスプレイ装置などに出力可能とする処理を行う（第二レポート出力ステップ  Ｓ０７０８）。
【００３０】
以上の処理は、計算機に実行させるためのプログラムで実行することができ、また、このプログラムを計算機によって読取り可能な記録媒体に記録することができる。
【００３１】
<効果>  本発明は、センサー装置と、セットトップボックス装置と、からなるエマージェンシーレポートシステムであり、センサー装置は、異常を検知した場合に、検知結果に応じてリモコン信号を送信し、セットトップボックス装置は、このリモコン信号を受信し、これに基づいてレポートを、インターネット網を介して所定の送付先への送信や、ディスプレイ装置などへの出力を実行する。インターネット網を介して利用者の携帯電話などに通報されることで、利用者は即座に異常事態の発生を認識して対応できるため、安心である。このとき、セットトップボックス装置にて保持するコンテンツを利用し、異常事態の内容や緊急度についても通報することが可能である。さらに、センサー装置、セットトップボックス装置間において赤外線通信を行うため、外来電波の影響を受けにくく、安全性に優れたシステムである。
【図面の簡単な説明】
【００３２】
【図１】実施形態を説明するための概念図
【図２】実施形態を説明するための機能ブロック図
【図３】実施形態を具体的に説明するための図
【図４】第一レポートを具体的に説明するための図
【図５】第二レポートを具体的に説明するための図
【図６】本発明を説明するためのハードウエア構成図
【図７】本発明の処理の流れを説明するための図
【符号の説明】
【００３３】
０２００    エマージェンシーレポートシステム
０２１０    センサー装置
０２１１    セキュリティー検知部
０２１２    レポート信号取得部
０２１３    リモコン信号送信部
０２２０    セットトップボックス装置
０２２１    リモコン信号受信部
０２２２    インターネット通信部
０２２３    コンテンツ出力部
【図１】
2007034420.tif 000003
【図２】
2007034420.tif 000004
【図３】
2007034420.tif 000005
【図４】
2007034420.tif 000006
【図５】
2007034420.tif 000007
【図６】
2007034420.tif 000008
【図７】
2007034420.tif 000009